【事件の表示】
　特許第３４４１８０３号「遊技機等のコイン選別装置」の請求項１乃至６に係る特許に対する特許異議の申立てについて、次のとおり決定する。
【結論】
　訂正を認める。
　特許第３４４１８０３号の請求項１乃至６に係る特許を維持する。
【理由】
第１．手続の経緯
　本件特許第３４４１８０３号の請求項１乃至６に係る発明は、平成６年７月１９日に特願平６−１８７８８０号として特許出願されたものであって、平成１５年６月２０日に設定登録がなされ、その後、佐藤亮より特許異議の申立てがなされ、平成１７年６月１７日付けで取消理由通知がなされ、その指定期間内である平成１７年８月２９日付けで訂正請求がなされたものである。
第２．訂正の適否についての判断
　１．訂正の内容（下線部訂正箇所）
　ｉ．訂正事項ａ
　特許明細書の特許請求の範囲の請求項１乃至６の記載を以下のように訂正する。
　【請求項１】投入されたコインの中から適正なコインを選別し、不適正なコインを排出する遊技機等のコイン選別装置において、
　基板、該基板の一方の面に取り付けられた押し板、及び前記基板において前記押し板を取り付けた面に設置された案内部材により、適正
な外径の
　前記コイン通路に対して移動可能で
かつ
として規定される、ガイド端と前記コイン通路の通路面との間隔
、前記適正な外径のコインが入ってきた場合には該適正な外径のコインの端が拘束されるとともに、前記適正な外径のコインよりも小径のコインが入ってきた場合には該小径のコインの上端が引っ掛からないように設置され
　前記コイン通路における前記可動ガイド板が
存在することにより前記
な外径の
自ら
前記可動ガイド板が前記コインの厚み方向の間隔を前記適正な外径のコインの厚さより僅かに大きくとる位置にあるコイン受付可能状態、及び前記可動ガイド板が前記コインの厚み方向の間隔を前記適正な外径のコインの厚さよりも大きくとる位置にあるコイン受付不可能状態のいずれの場合でも、
、前記適正な外径のコインが前記コイン通路を通過する場合には該コインに押されて引っ込むような力に定められ
　【請求項２】請求項１記載のコイン選別装置において、前記可動ガイド板と連動して少なくとも先端部が
、前記第１突起部材を前記通路面から没して前記適正な外径のコインがその自重によって前記第１突起部材を通過した後の
の通路面
の通路面
、前記第１突起部材を通過した前記
な外径
の通路面
　【請求項３】請求項２記載のコイン選別装置において、前記第１突起部材と前記第２突起部材の各々の先端部には、コインの移動方向に傾斜した円弧状の斜面が形成されているコイン選別装置。
　【請求項４】請求項１記載のコイン選別装置において、前記第１突起部材の先端部が前記コイン通路
の通路面
　【請求項５】請求項４記載のコイン選別装置において、第２検出器として
、その先端部が前記コイン通路の通路面から突出したときは全てのコインを前記コイン通路の途中で排出させる第２突起部材を通過した後の
互いに近接して配置された
であり、前記コイン通路の通路面に配置され、前記コインの通過を検出して検出信号を出力する１個目の検出器と、該１個目の検出器を前記適正な外径のコインがその自重によって通過した後の前記コイン通路の通路面に配置され、前記コインの通過を検出して検出信号を出力する２個目の検出器と、を含んで構成される複数の検出器
　【請求項６】請求項１記載のコイン選別装置において、前記押し板は、前記コイン通路を通るコインの厚み方向
の間隔として規定される前記基板の一方の面上に形成された前記コイン通路の通路面と前記押し板との間隔が
操作者が前記遊技機のコイン返却ボタンを押していない場合には、
を通る
の
が、前記操作者が前記コイン返却ボタンを押す場合には、該コイン返却ボタンと連動して、前記コイン通路を通るコインの厚み方向の間隔が大きく開くように取り付けられている
　ｉｉ．訂正事項ｂ
　特許明細書の段落【００６０】に記載の、
「このとき、第２検出器として通路面２０に設けられた２個のフォトセンサ２６，２７により、コインの通過が検出される。」の部分を「このとき、第２検出器として通路面２０
の出口３２の近傍
　２．訂正の目的の適否、新規事項の有無及び拡張変更の存否
　上記訂正事項ａは、設定登録時の特許請求の範囲の請求項１乃至６を限定及び明確化するものであるから、特許請求の範囲の減縮及び明りょうでない記載の釈明を目的とするものであり、また、上記訂正事項ｂは、前記特許請求の範囲の減縮及び明りょうでない記載の釈明に伴って、特許請求の範囲の記載と発明の詳細な説明の記載とを整合させるため、発明の詳細な説明の記載を訂正する、明りょうでない記載の釈明を目的とするものであり、これらの訂正事項ａ及びｂは、特許明細書及び図面に記載された事項の範囲内において訂正するものであるから新規事項の追加に該当せず、また、実質上特許請求の範囲を拡張し又は変更するものでもない。
　３．まとめ
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
第３．特許異議申立てについての判断
　１．本件発明
　特許第３４４１８０３号の請求項１に係る発明は、訂正が認められるから、本件の訂正明細書及び図面の記載からみて、その特許請求の範囲の請求項１（以下、「本件発明」という。）に記載された事項（前記第２．１．ｉ．参照）により特定されるものである。
　２．特許異議申立て理由の概要〔特許法第２９条第２項違反〕
　異議申立人は、下記の証拠方法を提出し、本件発明は、刊行物である下記の甲第１号証乃至甲第１０号証に記載された発明に基づいて当業者が容易に発明をすることができたものであるから、本件発明の特許は、特許法第２９条第２項の規定に違反してされたものであり、取り消されるべきものである旨主張している。
　甲第１号証：実願昭６２−１６５８１号（実開昭６３−１２６９７７号）のマイクロフィルム
　甲第２号証：実願昭５９−５４７４８号（実開昭６０−１７０８８１号）のマイクロフィルム
　甲第３号証：実願昭５９−５４７４９号（実開昭６０−１７０８８２号）のマイクロフィルム
　甲第４号証：実願昭６３−７２６５６号（実開平１−１７５３８０号）のマイクロフィルム
　甲第５号証：実願昭５４−１３３４０１号（実開昭５６−５３２６２号）のマイクロフィルム
　甲第６号証：実願昭５６−３２１８６号（実開昭５７−１４８２７３号）のマイクロフィルム
　甲第７号証：実願昭５６−１３３３８５号（実開昭５８−３９６８２号）のマイクロフィルム
　甲第８号証：実願昭６０−１９５９４号（実開昭６１−１３８０８３号）のマイクロフィルム
　甲第９号証：特開平５−１６８７４４号公報
　甲第１０号証：実願昭５４−１３７０４０号（実開昭５６−５３２５５号）のマイクロフィルム
　３．取消理由の概要
　当審が平成１７年６月１７日付けで通知した取消理由１乃至３は、以下のとおりのものである。
　（１）取消理由１〔特許法第２９条第２項違反〕
異議申立人の上記特許異議申立て理由を踏襲したものである。
　なお、同文中、「甲第１号証」乃至「甲第１０号証」とあるのは、それぞれ、「第１引用例」乃至「第１０引用例」と読み替える。
　（２）取消理由２〔特許法第２９条第２項違反〕
　本件発明１乃至６は、刊行物である下記の第１、４、９、１１引用例に記載された発明に基づいて当業者が容易に発明をすることができたものであるから、本件発明１乃至６の特許は、特許法第２９条第２項の規定に違反してされたものであり、取り消されるべきものである。
　第１引用例：実願昭６２−１６５８１号（実開昭６３−１２６９７７号）のマイクロフィルム（甲第１号証）
　第４引用例：実願昭６３−７２６５６号（実開平１−１７５３８０号）のマイクロフィルム（甲第４号証）
　第９引用例：特開平５−１６８７４４号公報（甲第９号証）
　第１１引用例：特開平４−２５３８８３号公報
　（３）取消理由３〔特許法第３６条第５項第１、２号違反〕
　本件発明１乃至６は、下記の点で、特許を受けようとする発明が発明の詳細な説明に記載したものではなく、また、特許を受けようとする発明の構成に欠くことができない事項のみを記載したものでもないから、その特許は、特許法第３６条第５項第１、２号に規定する要件を満たしていない特許出願に対してされたものであり、取り消されるべきものである。
　ｉ．請求項１においてコインの厚み方向の間隔とは、可動ガイド板との関係で具体的にどことどことの間隔なのか不明である。
　ｉｉ．請求項１において、「適正コイン」とは何（形状、材質等）を意味するのか、「拘束する」とは具体的にどのような状態を示すのか、「適正コインを拘束する」対象を適正コインのみとするための可動ガイド板の構成、「拘束する位置」とは具体的にどのような位置を意味するのか、不明である。
　ｉｉｉ．請求項１において、「出没可能に設けられ」とは、どのようにして出没可能とするのか発明の構成が不明である。
　ｉｖ．請求項１において、「通常…付勢されている」とは、具体的にどのような状態であるのか不明である。
　ｖ．請求項１において、「第１突起部材」の作用目的が不明である。
　ｖｉ．請求項２において、「適正コインの通過を可能とし」とは、「適正コイン」のみの通過を可能とするための可動ガイド板の構成等が不明である。
　ｖｉｉ．請求項５において、「コイン通路の出口近傍」とはどこを示すのか具体的でなく不明瞭である。
　ｖｉｉｉ．請求項５において、「第２検出器」について第１検出器との役割分担及び存在意義が不明である。
　ｉｘ．請求項６において、「押し板」に係るコインの厚み方向の間隔とは、押し板との関係で具体的にどことどことの間隔なのか不明である。
　ｘ．請求項６において、「通常は…保持する」とは具体的にどのような状態であるのか不明である。
　４．異議申立て理由〔特許法第２９条第２項違反〕について
　異議申立人の特許異議申立て理由である特許法第２９条第２項違反について、本件発明１乃至６と甲第１号証乃至甲第１０号証に記載された発明とを対比し判断する。
　（１）甲第１号証及び甲第４号証に記載された発明
　ｉ．甲第１号証に記載された発明
　異議申立人が提出した甲第１号証〔実願昭６２−１６５８１号（実開昭６３−１２６９７７号）のマイクロフィルム〕には、以下の事項が記載されている。
「本考案は硬貨選別装置に係り、更に詳しくは軽量疑似硬貨を確実に排除し、硬貨詰りを防止するようにしたものである。」（第１頁第１５〜１７行）、
「本考案に係る硬貨選別装置は上述した問題点を解決すべくなされたもので、硬貨選別軌道内に通常突出して軽量疑似硬貨の通過を阻止して硬貨返却軌道へ返却し、正規硬貨の通過時に前記軌道から退出する選別レバーを設け」（第２頁第１７行〜第３頁第１行）、
「これらの図において、基板１は…表面側に配設された返却動作に連動して開閉する返却フラッパ２と共働して硬貨選別軌道３および蓄積軌道４を形成している。」（第３頁第１６〜２０行）、
「前記基板１の表面には第３図に示すように硬貨選別軌道３の終端部から硬貨蓄積軌道４の終端にまで延在する蓄積レール１２が回動自在に配設されている。この蓄積レール１２は前記基板１の表面に設けられた凹陥部１３内に出没自在に配設されるもので、通常はその上端部が前記凹陥部１３から突出することにより、上面１２ａが硬貨の転動および蓄積軌道面（硬貨転動軌道面）を構成し」（第４頁第１０〜１８行）、
「前記硬貨選別軌道３には硬貨投入口２０より投入された硬貨１１の外径，厚みおよび材質を選別し、その正偽を判別する判別部２１と、互いに共働して硬貨の連続投入を防止する第１および第２ゲート２３，２４が配設されている。前記判別部２１は、前記基板１の裏面に配設された一対の電磁コイル（図示せず）と、これら一対の電磁コイルに対応して前記返却フラッパ２に配設された一対の電磁コイル２５ａ，２５ｂとで構成され、これらコイル間を硬貨１１が通過する際、該コイル内に発生する誘導起電力により硬貨１１の正偽を判別し、正規硬貨と判別した際正貨信号を後述する動作マグネット３０に送出し、前記第１および第２ゲート２３，２４を動作させるように構成されている。」（第５頁第１３行〜第６頁第７行）、
「一方、前記第２ゲート２４は前記第１ゲート２３の後方に所定距離離間して配設された選別レバー２６と、この選別レバー２６に対応して前記返却フラッパ２に形成された選別窓２７とで特徴づけられるもので、選別レバー２６は前記基板１の裏面側に上端を回動自在に枢支されて配設され、その先端部２６ａが前記基板１に形成されたレバー用孔２８から前記硬貨選別軌道３内に通常突出して該軌道３を塞いでいる。そして、前記先端部２６ａは硬貨の前記選別窓２７からの返却を容易にするため第２図から明らかなように硬貨蓄積軌道４側に傾斜している。」（第６頁第１７行〜第７頁第８行）
「すると、アーマチュア５０が吸引されて第２図時計方向に回動されるため、前記第２のレバー４２はコロ５１に押圧されてばね４８に抗し軸４７を回動中心として反時計方向に回動し、前記第１ゲート２３および選別レバー２６を元の状態に復帰させ、硬貨選別軌道３内にそれぞれ突出させる。」（第１０頁第１８行〜第１１頁第４行）、
「一方、疑似硬貨が投入された場合には、判別部２１から動作マグネット３０に対して正貨信号が送られてこないため、第１ゲート２３および選別レバー２６は硬貨選別軌道３内に突出した状態を維持し、したがって第１ゲート２３を通過した疑似硬貨は前記選別レバー２６の先端部２６ａに当って前記返却フラツパ２の選別窓２７より前記硬貨返却軌道８に落下し、返却口１８へと返却される。」（第１１頁第１３〜２０行）、
「ここで、正規硬貨１１であっても前記選別レバー２６部を通過する際、前記選別窓２７から返却軌道８へ落下する虞れがある。そこで、前記選別窓２７には前記選別フラッパ６０が配設されている。この選別フラッパ６０は前記返却フラッパ２に対して開閉自在に配設され、かつ該フラッパ２を前記基板１側に付勢しているばね６１（第１図参照）により返却フラッパ２からの離脱を防止されている。」（第１３頁第１９行〜第１４頁第７行）、
「このように、前記選別フラッパ６０は通常前記選別窓２７を開放状態に保持しているので、疑似硬貨が投入された場合には、前記選別レバー２６に当接して前記選別窓２７より返却軌道８へ確実に落下させることができる。一方、投入された硬貨が正規硬貨と判定された場合には、前述した通り前記動作マグネット３０の励磁により前記第１および第２のレバー３５，４２が連動して作動し、前記第１ゲート２３および選別レバー２６を前記硬貨選別軌道３から退出させ、同時に前記ロックレバー６５も前記第１のレバー３５により第３図時計方向に回動され、水平アーム６５ａで選別フラッパ６０のレバー部６０ａを押し上げる。この結果、前記選別フラッパ６０は第３図反時計方向に回動されて鎖線で示す如く前記選別窓２７、換言すれば返却軌道８を閉塞し、正規硬貨の前記選別窓２７からの前記返却軌道８への落下を防止する。」（第１５頁第３〜１９行）、
「なお、上記実施例は蓄積レール１２を基板１の凹陥部１３に対して出没自在に配設したが、本考案はこれに何ら特定されるものではなく、基板１もしくは返却フラツパ２に固定されるものであってもよいことは勿論である。」（第１６頁第６〜１０行）。
　以上の記載及び第１図乃至第４図によれば、甲第１号証には、以下の発明（以下、「引用発明」という。）が記載されているものと認められる。
「投入された硬貨の外径，厚みおよび材質を選別し、その正偽を判別し、疑似硬貨を返却する硬貨選別装置において、基板１、該基板１の表面に配設された返却動作に連動して開閉する返却フラッパ２、及び前記基板１において前記返却フラッパ２を取り付けた面に配設された蓄積レール１２により、正規硬貨がその自重によって通過できるように形成された硬貨選別軌道３及び蓄積軌道４と、硬貨選別軌道３に設けられた硬貨を選別し正偽を判別する判別部２１と、前記返却フラッパ２に対して回動自在に設置され、正規硬貨と判定された場合に選別窓２７を閉塞状態にして該正規硬貨の落下を防止し、疑似硬貨と判定された場合に選別窓２７を開放状態にして該疑似硬貨が返却軌道８へ落下する位置をとる選別フラッパ６０と、選別フラッパ６０に対応して形成され、選別フラッパ６０と連動して作動し、硬貨選別軌道３内に先端部２６ａが突出状態又は退出状態に切換可能に設けられ、先端部２６ａは、硬貨の返却を容易にするため硬貨蓄積軌道４側に傾斜しており、前記判別部２１により正規硬貨と判定された場合には硬貨選別軌道３から退出状態にさせて該正規硬貨を通過させ、疑似硬貨と判定された場合には硬貨選別軌道３内に突出状態にさせて該疑似硬貨の通過を阻止して硬貨返却軌道へ落下させる選別レバー２６と、を備えた硬貨選別装置。」
　ｉｉ．甲第４号証に記載された発明
　異議申立人が提出した甲第４号証〔実願昭６３−７２６５６号（実開平１−１７５３８０号）のマイクロフィルム〕には、以下の事項が記載されている。
「コイン検選構造は、投入口１と、この投入口１に連通するコイン通路２と、このコイン通路２の片側（一方側）に設けられ、コイン通路２へ突出するバネレバー３を備えたマイクロスイッチ４と、コイン通路２の他方側に設けられ、バネレバー３に対向する異種硬貨逃がし孔２３とから成る。」（第５頁第１１〜１６行）、
「上記コイン通路２は、投入コインＡの厚みに対応する距離を開いた一対の対向板（フレーム）２１、２１ａにより構成されている。一方の対向板（コイン通路２の片側）２１には、後述するレバー出没用孔２２を開口し、他方の対向板２１ａにはこのレバー出没用孔２２に対応する位置に、異種硬貨逃がし孔２３を開口している。この異種硬貨逃がし孔２３は、正硬貨（１００円硬貨）径よりも小さく設定、つまり正硬貨が逃がし孔２３より外方へ脱落しないように、且つ異種硬貨（正硬貨径より小さい５０円硬貨、５円硬貨、１円硬貨）Ｂを脱落させるように設定してある。前記マイクロスイッチ４は、上記コイン通路２を構成する一方の対向板２１の外側に配備され、可動ボタン４１に対応する位置にバネレバー３を備えている。このバネレバー３は、屈曲先端部３１を有し、この屈曲先端部３１を上記レバー出没用孔２２に臨出させ、他方の対向板２１ａ側に附勢されている。バネレバー（屈曲先端部３１）３は、常態においてコイン通路２に突出している。正硬貨（１００円硬貨）Ｃが、投入された場合、このレバー（屈曲先端部３１）３が正硬貨Ｃにより押圧され、可動ボタン４１側へ後退することで、マイクロスイッチ４がＯＮするようになっている。」（第６頁第３行〜第７頁第６行）、
「５０円硬貨Ｂは、この逃がし孔２３径より小さいため、上記バネレバー３により外方向へ押され、逃がし孔２３より脱落する。」（第８頁第１０行〜第１２行）、
「１００円硬貨Ｃは逃がし孔２３径より大きく設定してある。従って、逃がし孔２３より脱落することがなく、対向板２１ａに当接した状態でそのまま降下する。この時、バネレバー３をバネ附勢力に抗して可動ボタン４１側へ後退させる。これにより、マイクロスイッチ４の可動ボタン４１が後退し、マイクロスイッチ４内で可動接点が固定接点（図示せず）に接触することで、正硬貨Ｃの検出が実行される。更に、正硬貨Ｃがレバー３を通過し、コイン収容ボックス５方向へ降下する時、レバー３はバネ力でコイン通路２に突出復帰する。以後、投入されるコインは同様に処理され、正硬貨Ｃの３回の検出が行われた時、マイクロスイッチ４の電気信号の例えばカウンタによるカウントアップ信号によりテレビの電源がＯＮする。」（第８頁第１９行〜第９頁第１３行）。
　以上の記載及び第１図によれば、甲第４号証には、以下の発明が記載されていると認められる。
「投入コインＡの厚みに対応する距離を開いた一対の対向板２１、２１ａにより構成されるコイン通路２と、該コイン通路２を構成する一方の対向板２１の開口に突出復帰可能に設けられ、バネ力でコイン通路２へ突出する屈曲先端部３１を有するバネレバー３と、前記バネレバー３に対向する他方の対向板２１ａに開口し、正硬貨径よりも小さく設定される異種硬貨逃がし孔２３とから成り、前記異種硬貨逃がし孔２３の径より小さい異種硬貨を前記バネレバー３により外方向に押してコイン通路２から脱落させ、逃がし孔２３の径より大きい正硬貨により前記バネレバー３を押圧して可動ボタン４１側へ後退させることで前記対向板２１ａに当接した状態でコイン通路２を通過させるとともに、前記バネレバー３が押圧されることにより正硬貨の検出を行い電気信号を出力するマイクロスイッチ４を備えたコイン検選構造。」
　（２）本件発明１について
　ｉ．本件発明１と引用発明との対比
　本件発明１と引用発明（甲第１号証に記載された発明）とを対比すると、引用発明における「基板１」、「返却フラッパ２」、「蓄積レール１２」、「硬貨選別軌道３及び蓄積軌道４」、「硬貨選別装置」は、本件発明１における「基板」、「押し板」、「案内部材」、「コイン通路」、「遊技機等のコイン選別装置」にそれぞれ相当する。
　また、引用発明における「正規硬貨」及び「疑似硬貨」は、本件発明１における「適正な外径のコイン」及び「小径のコイン」と対比して、それぞれ「適正なコイン」及び「不適正なコイン」として共通する。
　そして、引用発明における「選別フラッパ６０」は、蓄積軌道４に対して硬貨の厚み方向の間隔を変更可能であり、正規硬貨と判定された場合に選別窓２７を閉塞状態にして該正規硬貨の落下を防止する位置をとり、疑似硬貨と判定された場合に選別窓２７を開放状態にして該疑似硬貨が返却軌道８へ落下する位置をとるものであるから、本件発明１における「可動ガイド板」と対比して、両者は、コイン通路に対して移動可能でかつ、該コイン通路を通るコインの厚み方向の間隔を変更可能に設置され、適正なコインが入ってきた場合には該適正なコインが拘束されるとともに、不適正なコインが入ってきた場合には該不適正なコインが拘束されないように設置された「可動板」として共通する。
　さらに、引用発明における「選別レバー２６」は、選別フラッパ６０と連動して作動し、正規硬貨と判定された場合には選別フラッパ６０が選別窓２７を閉塞状態にするとともに硬貨選別軌道３から該選別レバー２６を退出させて該正規硬貨を通過させ、疑似硬貨と判定された場合には選別フラッパ６０が選別窓２７を開放状態にするとともに該選別レバー２６を硬貨選別軌道３内に突出させて該疑似硬貨の通過を阻止するものであるから、本件発明１における「第１突起部材」と対比して、両者は、可動板が適正なコインを拘束する位置で先端部が出没可能に設けられ、前記可動板が適正のコインの厚さより僅かに大きくとる位置にあるコイン受付可能状態において、前記適正なコインが前記コイン通路を通過する場合に、その先端部が引っ込み、前記可動板が前記コインの厚み方向の間隔を前記適正なコインの厚さよりも大きくとる位置にあるコイン受付不可能状態において、その先端部が突出するように定められている「選別突起部材」として共通する。
　そうすると、本件発明１と引用発明は、下記の点で一致並びに相違するものと認められる。
　一致点．「投入されたコインの中から適正なコインを選別し、不適正なコインを排出する遊技機等のコイン選別装置において、
　基板、該基板の一方の面に取り付けられた押し板、及び前記基板において前記押し板を取り付けた面に設置された案内部材により、適正なコインがその自重によって通過できるように形成されたコイン通路と、
　前記コイン通路に対して移動可能でかつ、該コイン通路を通るコインの厚み方向の間隔を変更可能に設置され、前記適正なコインが入ってきた場合には該適正なコインが拘束されるとともに、不適正なコインが入ってきた場合には該不適正なコインが拘束されないように設置された可動板と、
　前記コイン通路における前記可動板が存在することにより前記適正なコインを拘束する位置で先端部が出没可能に設けられ、前記可動板が前記コインの厚み方向の間隔を前記適正のコインの厚さより僅かに大きくとる位置にあるコイン受付可能状態において、前記適正なコインが前記コイン通路を通過する場合に、その先端部が引っ込み、前記可動板が前記コインの厚み方向の間隔を前記適正なコインの厚さよりも大きくとる位置にあるコイン受付不可能状態において、その先端部が突出するように定められている選別突起部材とを備えたコイン選別装置。」
　相違点Ａ．可動板として、本件発明１は、「適正な外径のコインが入ってきた場合には該適正な外径のコインの端が拘束されるとともに、適正な外径のコインよりも小径のコインが入ってきた場合には該小径のコインの上端が引っ掛からないように設置された可動ガイド板」を備えているのに対し、引用発明は、選別窓２７を閉塞状態にしたときに正規硬貨の落下を防止する位置をとり、選別窓２７を開放状態にしたときに疑似硬貨が返却軌道８へ落下する位置をとるように設置された選別フラッパ６０」を備える点。
　相違点Ｂ．選別突起部材として、本件発明１は、「先端部が自ら出没可能に設けられ、コイン受付可能状態及びコイン受付不可能状態のいずれの場合でも、その先端部が突出するように付勢され、適正な外径のコインがコイン通路を通過する場合には該コインに押されて引っ込むような力に定められている第１突起部材」を備えているのに対し、引用発明は、「先端部が突出状態又は退出状態に切換可能に設けられ、正規硬貨と判定された場合にはコイン通路から退出状態にさせて該正規硬貨を通過させ、疑似硬貨と判定された場合にはコイン通路内に突出状態にさせて該疑似硬貨の通過を阻止する選別レバー２６」を備える点。
　ｉｉ．相違点の検討
　前記相違点Ａ、Ｂについて甲第４号証に記載された発明と対比検討する。
　まず、前記相違点Ａについて、甲第４号証に記載された発明は、投入コインＡの厚みに対応する距離を開いた一対の対向板２１、２１ａによりコイン通路２を構成し、その対向板２１ａに、正硬貨径よりも小さく設定される異種硬貨逃がし孔２３が開口されるものであるから、前記「対向板２１ａ」は、本件発明１における「可動ガイド板」と対比して、両者は、「ガイド端とコイン通路の通路面との間隔がコイン通路を通るコインの厚み方向の間隔として規定され、適正な外径のコインが入ってきた場合には該適正な外径のコインの端が拘束されるとともに、適正な外径のコインよりも小径のコインが入ってきた場合には該小径のコインの上端が引っ掛からないように設置されたガイド板」として共通し、本件発明１は、「コイン通路に対して移動可能でかつ、ガイド端と前記コイン通路の通路面との間隔を変更可能に設置された可動ガイド板」であるのに対し、甲第４号証に記載された発明は、「コイン通路に対して移動不可能でかつ、ガイド端と前記コイン通路の通路面との間隔を変更不可能に設置された固定の対向板２１ａ」である点で相違する。
　また、前記相違点Ｂについて、甲第４号証に記載された発明は、コイン通路２を構成する一方の対向板２１の開口に突出復帰可能に設けられ、バネ力でコイン通路２へ突出する屈曲先端部３１を有するバネレバー３を備え、径の小さい異種硬貨を前記バネレバー３により外方向に押してコイン通路２から脱落させ、径の大きい正硬貨をこれにより前記バネレバー３を押圧して後退させることで対向板２１ａに当接した状態でコイン通路２を通過させるものであるから、前記「バネレバー３」は、本件発明１における「第１突起部材」と対比して、両者は、「コイン通路におけるガイド板が存在することにより適正な外径のコインを拘束する位置で先端部が自ら出没可能に設けられ、その先端部が突出するように付勢され、前記適正な外径のコインがコイン通路を通過する場合には該コインに押されて引っ込むような力に定められている突起部材」として共通し、該「突起部材」と共働する「ガイド板」として、本件発明１は、「コインの厚み方向の間隔を適正な外径のコインの厚さより僅かに大きくとる位置にあるコイン受付可能状態、及びコインの厚み方向の間隔を適正な外径のコインの厚さよりも大きくとる位置にあるコイン受付不可能状態のいずれかをとる可動ガイド板」であるのに対し、甲第４号証に記載された発明は、「コインの厚み方向の間隔を適正な外径のコインの厚さより僅かに大きくとる位置にあるコイン受付可能状態のみをとる固定の対向板２１ａ」である点で相違する。
　しかして、引用発明に甲第４号証に記載された発明を適用しても、前記相違点Ａ、Ｂに係る本件発明１の特徴である、「先端部が自ら出没可能に設けられ、その先端部が突出するように付勢され、適正な外径のコインがコイン通路を通過する場合には該コインに押されて引っ込むような力に定められている第１突起部材」と共働する、「コイン通路に対して移動可能でかつ、ガイド端と前記コイン通路の通路面との間隔を変更可能に設置され、コインの厚み方向の間隔を適正な外径のコインの厚さより僅かに大きくとる位置にあるコイン受付可能状態、及びコインの厚み方向の間隔を適正な外径のコインの厚さよりも大きくとる位置にあるコイン受付不可能状態のいずれかをとる可動ガイド板」の構成までは、引用発明を含め前記甲第１号証乃至甲第１０号証のいずれの記載からも導くことができない。
　そして、本件発明１は、前記構成により、ガイド端との間隔を適正な外径のコインの厚さより僅かに大きくとるコイン受付可能状態では適正な外径のコインのみを通過させるとともに小径のコインを排出させ、また、ガイド端との間隔を適正な外径のコインの厚さより大きくとるコイン受付不可能状態では適性あるいは不適正を問わずすべてのコインを排出させるという、異なる２つのコイン選別機能をもって切換可能であるという作用効果を奏するものであることが明らかである。
　よって、本件発明１は、甲第１号証乃至甲第１０号証に記載された発明に基づいて当業者が容易に発明をすることができたものとすることはできないから、本件発明１の特許は、特許法第２９条第２項の規定に違反してされたものではない。
　（３）本件発明２乃至６について
　本件発明２乃至６は、いずれも本件発明１の構成を具備し、これを更に限定した発明である。
　したがって、前記（２）に記載したのと同様の理由で、本件発明２乃至６は、甲第１号証乃至甲第１０号証に記載の発明に基づいて当業者が容易に発明をすることができたものとすることはできないから、本件発明２乃至６の特許は、特許法第２９条第２項の規定に違反してされたものではない。
　５．当審取消理由１〔特許法第２９条第２項違反〕について
　当審取消理由１は、異議申立人の特許異議申立て理由を踏襲したものであるため、その判断としても前記４．に記載したのと同様の理由で、本件発明１乃至６は、甲第１号証乃至甲第１０号証に記載の発明に基づいて当業者が容易に発明をすることができたものとすることはできないから、その特許は、特許法第２９条第２項の規定に違反してされたものではない。
　６．当審取消理由２〔特許法第２９条第２項違反〕について
　当審取消理由２は、異議申立人の提出した甲第１、４、９号証をそれぞれ第１、４、９引用例とするとともに、第１１引用例を付加して、本件発明１乃至６について特許法第２９条第２項違反を通知したものであるところ、第１引用例（甲第１号証）に基づいて認定した引用発明との相違点については、前記第１１引用例にも記載あるいは示唆するところがないため、その判断としても前記４．に記載したのと同様の理由で、本件発明１乃至６は、甲第１号証乃至甲第１０号証に記載の発明に基づいて当業者が容易に発明をすることができたものとすることはできないから、その特許は、特許法第２９条第２項の規定に違反してされたものではない。
　７．当審取消理由３〔特許法第３６条第５項第１、２号違反〕について
　当審取消理由３は、本件発明１乃至６に係る出願について特許請求の範囲の記載不備をもって特許法第３６条第５項第１、２号違反を通知したものであるところ、訂正により特許を受けようとする発明が発明の詳細な説明に記載したものとして発明の構成に欠くことができない事項のみを記載したものとなったことで前記当審取消理由３は解消したから、その特許は、特許法第３６条第５項第１、２号の規定に違反するものではない。
　８．むすび
　以上のとおり、特許異議申立ての理由及び証拠によっては本件発明１乃至６についての特許を取り消すことはできない。
　また、他に本件発明１乃至６の特許を取り消すべき理由を発見しない。
　したがって、本件発明１乃至６についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年１１月２９日（２００５．１１．２９）
【訂正の要旨】
審決（決定）の【理由】欄参照。
（５４）【発明の名称】
遊技機
（５７）【特許請求の範囲】
　【請求項１】投入されたコインの中から適正なコインを選別し、不適正なコインを排出する遊技機等のコイン選別装置において、
基板、該基板の一方の面に取り付けられた押し板、及び前記基板において前記押し板を取り付けた面に設置された案内部材により、適正
な外径の
前記コイン通路に対して移動可能で
かつ
として規定される、ガイド端と前記コイン通路の通路面との間隔
、前記適正な外径のコインが入ってきた場合には該適正な外径のコインの端が拘束されるとともに、前記適正な外径のコインよりも小径のコインが入ってきた場合には該小径のコインの上端が引っ掛からないように設置された可動ガイド板
前記コイン通路における前記可動ガイド板が
存在することにより前記
な外径の
自ら
前記可動ガイド板が前記コインの厚み方向の間隔を前記適正な外径のコインの厚さより僅かに大きくとる位置にあるコイン受付可能状態、及び前記可動ガイド板が前記コインの厚み方向の間隔を前記適正な外径のコインの厚さよりも大きくとる位置にあるコイン受付不可能状態のいずれの場合でも、
、前記適正な外径のコインが前記コイン通路を通過する場合には該コインに押されて引っ込むような力に定められている
　【請求項２】請求項１記載のコイン選別装置において、前記可動ガイド板と連動して少なくとも先端部が
、前記第１突起部材を前記通路面から没して前記適正な外径のコインがその自重によって前記第１突起部材を通過した後の
の通路面
の通路面
、前記第１突起部材を通過した前記
な外径の
の通路面
　【請求項３】請求項２記載のコイン選別装置において、前記第１突起部材と前記第２突起部材の各々の先端部には、コインの移動方向に傾斜した円弧状の斜面が形成されているコイン選別装置。
　【請求項４】請求項１記載のコイン選別装置において、前記第１突起部材の先端部が前記コイン通路
の通路面
　【請求項５】請求項４記載のコイン選別装置において、第２検出器として
、その先端部が前記コイン通路の通路面から突出したときは全てのコインを前記コイン通路の途中で排出させる第２突起部材を通過した後の
互いに近接して配置された
であり、前記コイン通路の通路面に配置され、前記コインの通過を検出して検出信号を出力する１個目の検出器と、該１個目の検出器を前記適正な外径のコインがその自重によって通過した後の前記コイン通路の通路面に配置され、前記コインの通過を検出して検出信号を出力する２個目の検出器と、を含んで構成される複数の検出器
　【請求項６】請求項１記載のコイン選別装置において、前記押し板は、前記コイン通路を通るコインの厚み方向
の間隔として規定される前記基板の一方の面上に形成された前記コイン通路の通路面と前記押し板との間隔が
操作者が前記遊技機のコイン返却ボタンを押していない場合には、
を通る
の
が、前記操作者が前記コイン返却ボタンを押す場合には、該コイン返却ボタンと連動して、前記コイン通路を通るコインの厚み方向の間隔が大きく開くように取り付けられている
【発明の詳細な説明】
　【０００１】
　【産業上の利用分野】本発明は、スロットマシンや弾球遊技機などの遊技機あるいは自動販売機のようにコイン（硬貨に限らず、メダル、トークン等の遊技媒体を含む。）を使用する機器（遊技機等という）に用いられるコイン選別装置に関する。
　【０００２】
　【従来の技術】遊技機等に用いられるコイン選別装置としては、例えば特開昭６３−２５４５９８号公報に示されているような機構を用いて、不正操作の防止を図ると共にコインの外径を選別する装置が知られている。
　【０００３】クレードルと呼ばれる機構を用いた従来のコイン選別装置では、コインをクレードルに向けて落下させ、これに大径及び小径の適正コイン又は不適正コインを通過させる。通過したコインは、選別通路において検知コイルによってコインの外径および材質の選別をされ、第１および第２ゲートの開閉によって、適正コインは出口を通過し、不適正コインは返却口に戻される。
　【０００４】このような機構によれば、コインの移動速度が遅くなり、コインの投入操作を連続して行う場合などにコインの受付不能を起こすことがある。また、制御装置が複雑化するとともに、ゲートを開閉制御するためのソレノイドを必要とするため、装置が高価かつ大型になるという問題があった。
　【０００５】そこで、この問題を解決するものとして上記公報に記載されたコイン選別装置は、投入口から入れられたコインの中から大径適正コインと小径適正コインの２種類の外径を有するコインだけをそれぞれ選別して別個に取り出す大径および小径コイン外径選別手段と、大径および小径適正コインの材質検出手段とを備えている。
　【０００６】大径および小径コイン外径選別手段は、大径コイン用キャリアームと小径コイン用キャリアームとをコイン落下通路に上下に離間して配設して構成される。また、大径および小径の適正コインの材質検出手段は、大径および小径コインの外径選別手段によって選別されたコインの材質を大径・小径の各適正コインについて別個に電子的に選別できるとともに、コイン糸吊り防止機構を有するものである。
　【０００７】
　【発明が解決しようとする課題】しかしながら、上記のコイン選別装置においては、２種類のキャリアームを含む機械的な選別手段と、コインの材質を電子的に選別すると共にコイン糸吊り防止機構を有する材質検出手段とを備えた構成になっているので、選別されたコインがコイン選別装置から出るまでに時間がかかってしまう。
　【０００８】このため、上記のコイン選別装置を、例えばスロットマシン等の遊技機に用いた場合、コインを機械に投入後、コインが全部カウントされるのに時間がかかり、全部カウントされる前に遊技者によって遊技開始操作がされてしまうことも起こり得る。例えば、コインを３枚投入したのに２枚しかカウントされず（このような状況を機械の「コイン飲込み」という）、遊技者が不利益を被ってしまうという問題点があった。また、装置自体も大きくなり、機械内部に取り付けスペースを多くとってしまうという問題点もあった。
　【０００９】かかる機械のコイン飲込みを防止するべく、コインの通過時間を短縮し、かつ不正操作の防止を図ったものとして、例えば特開平５−１６６０２８号公報に記載されたコイン選別装置のように、コインの外径を識別するのに磁気センサ等の電気的手段を用いたものも知られているが、この装置においては磁気センサ等の電気的手段を用いるため装置自体が高価になってしまうという問題点があった。従って、本発明の目的は、コインの選別（通過）時間を短くできるとともに不正操作を防止でき、かつ安価でコンパクトな、遊技機等のコイン選別装置を提供することにある。
　【００１０】
　【課題を解決するための手段】本発明は、投入されたコインの中から適正なコインを選別し、不適正なコインを排出する遊技機等のコイン選別装置において、基板、該基板の一方の面に取り付けられた押し板、及び前記基板において前記押し板を取り付けた面に設置された案内部材により、適正コインがその自重によって通過できるように形成されたコイン通路と、前記コイン通路に対して移動可能で、該コイン通路を通るコインの厚み方向の間隔を変更可能に設置された可動ガイド板と、前記コイン通路の前記可動ガイド板が適正コインを拘束する位置で先端部がコイン通路から出没可能に設けられ、通常その先端部が突出するように付勢されている第１突起部材とを備えたことを特徴とする。
　【００１１】第２の発明では、前記可動ガイド板と連動して少なくとも先端部が前記コイン通路から出没可能に設けられ、その先端部がコイン通路から突出しないとき適正コインの通過を可能にし、その先端部がコイン通路から突出したときは全てのコインをコイン通路の途中で排出させる第２突起部材が備えられる。
　【００１２】第３の発明では、前記第１突起部材と前記第２突起部材の各々の先端部に、コインの移動方向に傾斜した円弧状の斜面が形成されている。
　【００１３】第４の発明では、前記第１突起部材の先端部がコイン通路から出没したとき、その動きを検出して検出信号を出力する第１検出器が設けられる。
　【００１４】第５の発明では、第２検出器としてコイン通路の出口近傍でコインの移動方向に複数の検出器が配置される。
　【００１５】第６の発明では、前記押し板は、前記コイン通路を通るコインの厚み方向に移動可能で、通常は前記コイン通路のコイン厚み方向の間隔を一定に保持するように取り付けられている。
　【００１６】
　【００１７】
　【作用】本発明によれば、投入されたコインは、その自重によりコイン通路を通過しようとする。コイン通路は、基板の一方の面上で押し板及び案内部材により、外径の適正なコインを案内して通過させるように形成されると共に、コイン通路のコインの厚み方向の間隔は可動ガイド板によって変えられる。
　【００１８】このコイン通路のコインの厚み方向の間隔は、コイン通路に対する可動ガイド板の位置に応じて、次の２種類がある。すなわち、可動ガイド板が、コイン通路のコイン厚み方向の間隔を適正なコイン厚さより僅かに大きくとる位置にある「コイン受付可能状態」と、可動ガイド板が、コイン通路のコインの厚み方向の間隔を適正なコインの厚さよりも大きく（例えば、その厚さの２倍以上に）とる位置にある「コイン受付不能状態」である。
　【００１９】上記のコイン受付可能状態では、外径が適正なコイン（以下「適正コイン」という）は可動ガイド板に拘束されながらコイン通路を移動するので、適正コインはコイン通路から突出している第１突起部材の先端部をコイン通路から引っ込めながら通過する。
　【００２０】一方、外径が適正コインより小さいコインは、可動ガイド板に拘束されないので、コイン通路から突出している第１突起部材の先端部に当たったとき、その付勢力によってコイン通路から排出される。かくして、適正コインとそうでない不適正コインとが選別されて排出される。
　【００２１】しかし、コイン受付不能状態では、外径が小さいコインだけでなく適正コインであっても、可動ガイド板はコインを拘束せず、コイン通路の途中で排出してしまう。これは、遊技機等が準備状態等の非稼動状態のとき、コインが投入されてもそれを遊技機の内部へ送らず、遊技者にコインを返却するためである。
　【００２２】本発明の上記構成に加えて、第２突起部材を設けた場合には、その第２突起部材が前記可動ガイド板と連動し、可動ガイド板が受付不能状態となっているときは、付勢力を持たせた第２突起部材がコイン通路から突出しており（コイン受付可能状態では第２突起部材はコイン通路から突出していない）、第１突起部材の先端部によって排出できなかったコインを確実に排出することができる。
　【００２３】この場合、第１突起部材と第２突起部材の各先端部に、コインの移動する方向に傾斜した円弧状の斜面を形成すると、前述のコイン受付不能状態では、第１突起部材及び第２突起部材の付勢力とあいまってコインの排出が確実になる。また、前述の受付可能状態では、第１突起部材の先端部は適正なコインによって押され、コイン通路に没した状態となる。
　【００２４】本発明の好ましい態様では、前述のように第１突起部材の先端部がコイン通路から出没したとき、その動きを検出して検出信号を出力する第１検出器が設けられる。この場合、第１突起部材の先端部が出没することにより、第１検出器が検出信号を出力し、その検出信号を、例えば遊技機の制御装置が受けることによって適正コインの通過を検知することができる。
　【００２５】更に、第２検出器として、コイン通路の出口近傍にコインの移動方向に複数の検出器を近接して配置した場合には、コイン通路の出口におけるコインの通過を検出することができる。これにより、コインの停滞等の異常も検出できる。
　【００２６】また、本発明において、押し板をコイン通路のコイン厚み方向に移動可能に取り付け、通常はコイン厚み方向の間隔を一定に保つようにした場合には、コイン通路にコインが停滞したとき等に、押し板のコイン厚み方向の間隔を大きくすることで、コインを排出することができる。
　【００２７】適正コインとして非磁性体を使用する場合、第１突起部材の近傍に磁石を配置すると、磁性体の不適正コインはその磁石の磁力によって捕捉され、第１検出器の出力信号の時間が変わるため、不適正コインを検出することができる。
　【００２８】
　【実施例】図１及び図２は、それぞれ本発明の実施例の正面図及び背面図である。このコイン選別装置１０は、例えば図１２に示すスロットマシン１の内部に設置される。この場合、スロットマシン１のコイン投入口２に投入されたコインは、図３に示される入口３１からコイン通路１４内に入り、その出口３２に向かって移動する。
　【００２９】図１において、コイン選別装置１０は、略矩形の基板１１の一方の面に、押し板１２及び案内部材１３によって形成されたコイン通路１４を備える。このコイン通路１４は、図３に示すように、入口３１から出口３２に至る垂直路１４ａ及び傾斜路１４ｂから成る。コイン投入口２（図１２）から投入されたコインＣはコイン通路１４を移動する間に外径に応じて選別され、適正とされたコインは、前記傾斜路１４ｂを通過して出口３２から出る。このような適正コインは、後述する２個のフォトセンサ２６、２７により検出され、この検出信号がスロットマシンの制御装置（図示省略）へ入力されることにより、スロットマシン内部のカウンタ（図示省略）で計数される。また、非磁性体コインが適正コインとして用いられる場合には、後述するように、磁性体コインの不正使用を検出できる。
　【００３０】押し板１２は、図３に示すように基板１１の軸受２８，２９に着脱可能な軸２２を中心として回動自在に装着され、通常はバネ２４によって基板１１に押し板１２の一部が当接するように付勢されている。更に、図４に示すように、押し板１２を基板１１に装着したときコイン通路１４の傾斜路１４ｂに対応する開口部１２ａが形成されている。
　【００３１】図１に示すコイン通路１４の通路面２０には、後述のように適正コインより小径の不適正コインを手前側に排出する第１突起部材１５の先端部として形成された上下一対の突出端１６，１７が突出している。第１突起部材１５は、基板１１の一方の面上に形成された通路面２０と反対側の面３０（図２）に設けられており、その一方の端部が二又に形成され、その先端部が一対の突出端１６，１７となっている。この実施例の各突出端１６，１７は、不適正コインを排出しやすくするため、コイン移動方向に傾斜した円弧状の斜面１６ａ，１７ａを備えている。
　【００３２】第１突起部材１５は、図６に示すように基板１１に設けられた軸受６７，６８に支持された縦軸６１を中心として回動自在で、通常はバネ６２により第１突起部材１５の二又になった先端部の上下一対の突出端１６，１７が通路面２０から突出するように付勢されている。図７からわかるように、上側の突出端１６は、下側の突出端１７よりも通路面２０から突出しており、これによってコインを排出しやすくしている。
　【００３３】バネ６２の付勢力は、後述するように、第１突起部材１５の突出端１６，１７の形状とあいまって適正コインＣより小径なコインを排出でき、かつ適正コインＣがコイン通路１４を通過する場合には突出端１６，１７がコインに押されて引っ込むような力に定められている。
　【００３４】ここで、実施例において正規に遊技を行っていたにも拘らず、コイン通路１４内にコインや異物が詰まった場合のコインの排出を行う機構を説明する。
　【００３５】この機構は、図１２のスロットマシン１のコイン返却ボタン３と連動して動作する。そのため、図２及び図５に示すように、コイン返却ボタン３の下端は、略三角形の回動もしくは旋回部材８１に近接して配置され、コイン返却ボタン３それ自体はバネ等（図示省略）によって上方に常時付勢されている。
　【００３６】操作者がコイン返却ボタン３を押すと、図５に示すように旋回部材８１は、基板１１と一体に形成された軸受８６に取り付けられた横軸８２を中心に回動し、旋回部材８１の一端が押し板１２を押し上げるように動く。従って、押し板１２は軸２２を中心に回動し、基板１１の通路面２０との間隔が大きく開くので、詰まったコインや異物は排出方向（図５右側）に排出される。
　【００３７】次に、図７〜図９は、適正コインの通過を検出する手段を示したものである。コイン通過時には、第１突起部材１５の突出端１６，１７がコインＣに押されて縦軸６１を中心に回動し、このとき第１突起部材１５の後端部６６が、第１検出器である透過型フォトセンサ６３（図２）の発光部６４と受光部６５との間の光路を横切る（図９）ので、透過型フォトセンサ６３は検出信号を出力する。この検出信号は、例えば図１２のスロットマシン１の制御装置（図示省略）へ送られ、コイン通路１４をコインが通過したことが検出される。
　【００３８】コイン通路１４においてコイン詰まりなどが生じた場合や不正操作が行われると、第１突起部材１５の突出端１６，１７が押される時間が長くなり、検出信号の立ち上がりから立ち下がりまでの時間が所定時間より長くなるので、前記制御装置により異常が検出される。
　【００３９】また、適正コインが非磁性体の場合には、不適正コインとなる磁性体コインが投入されると、図１に示すように通路面２０の突出端１６，１７の近傍に配された磁石１９により磁性体コインが捕捉され、突出端１６，１７が通路面２０から引っ込められる。これにより、上記と同様に検出信号の長さが変化するので、そのような不適正コインが検出される。
　【００４０】更に、基板１１の面３０側（図２）には、次のようなコイン受付機構４０が設けられている。
　【００４１】図２において、コイン受付機構４０は、基板１１の通路面２０と反対側の面３０上に設けられた円柱形のソレノイド４１と、このソレノイド４１の励磁により吸引され、基板１１と一体に形成された支持部材４２を支点として回動される回動部材４３と、この回動部材４３が吸引されたとき、その一端４４に一端５２を押されて、基板１１と一体に形成された軸受５８、５９に取り付けられた軸５５を中心に回動し、突起部５３（図１Ｒ＞１）が通路面２０から引っ込むように回動される可動ガイド板５１と、回動部材４３がソレノイド４１に吸引されたとき、回動部材４３の他端４５との当接により通路面２０に突出するように押されていた突起部７２（図１Ｒ＞１）が、他端７３の重みにより、基板１１と一体に形成された軸受７８、７９に支持された軸７４を中心に回動し、通路面２０から没することができる第２突起部材７１とから成る。
　【００４２】可動ガイド板５１は、前記制御装置によりコイン受付可能状態（図１０）とコイン受付不能状態（図１１）との間で、ガイド溝８０の間隔を変えることができる。
　【００４３】コイン受付不能状態を設けた理由は、スロットマシン等の遊技準備が未完了の場合等や遊技機側が稼動状態にない場合には、投入されたコインを遊技機内部へ送らずに返却するためである。
　【００４４】図１０は、コイン受付機構４０のコイン受付可能状態を示したものである。このとき、ソレノイド４１は励磁されている。回動部材４３はソレノイド４１に吸着されており、回動部材４３の他端４５は第２突起部材７１を押圧していない。従って、第２突起部材７１はその他端７３の重みにより、基板１１に形成された軸受７８，７９に取り付けられた軸７４を中心として回動し、突出端７２は通路面２０から没している。
　【００４５】また、通路面２０と可動ガイド板５１のガイド端５４との間隔は、適正コインが通過できる最小の間隔まで狭められ（このとき、ガイド溝８０が形成される。）、可動ガイド板５１の突起部５３も通路面２０から没した状態にある。
　【００４６】この状態で、図１に示すように適正コインが投入されると、適正コインは、第１突起部材１５の突出端１６，１７を押しながら傾斜路１４ｂを通過して、出口３２から遊技機等の内部機構へ移動する。
　【００４７】この実施例では、通路面２０の出口３２の近傍に、第２検出器として２個のフォトセンサ２６，２７がコイン移動方向に互いに近接して配置されている。この場合、１個目のフォトセンサ２６は、２個目のフォトセンサ２７よりもコインが先に通過する位置にある。
　【００４８】このような第２検出器を設けた理由は、コイン選別装置１０を通過する適正コイン数としてカウントするためと、なんらかの理由（コイン詰まりや不正操作も含む）でコインが異常動作をしたとき、その異常動作を検出するためである。例えば下記の所定条件が成立したとき、異常信号を遊技機などの制御装置へ出力する。
　【００４９】１．センサ２６がオンする前にセンサ２７がオンしたとき。
　【００５０】２．センサ２６がオンした後、センサ２７が所定時間（例えば２００ｍｓｅｃ）経過後もオンにならないとき。
　【００５１】３．センサ２６がオンした後、センサ２７が所定時間（例えば２００ｍｓｅｃ）経過後もオフにならないとき。
　【００５２】４．センサ２６がオフした後、センサ２７が所定時間（例えば２００ｍｓｅｃ）経過後もオフにならないとき。
　【００５３】また、上記のコイン受付可能状態で適正コインより小径のコインが投入された場合は、その小径コインは上端がガイド溝８０（図１０、図１１）に引っ掛からないので、斜めに円弧状にカットされた形状の第１突起部材１５の突出端１６，１７に当接し、排出方向（図１の手前側。以下同様。）に付勢されて排出される。
　【００５４】一方、図１１に示すように、コイン受付け機構４０がコイン受付不能状態のときには、コイン通路１４に突出する可動ガイド板５１の突起部５３および第２突起部材７１の突出端７２により、投入されたコインは全て図１１の左側に排出され、例えば図１２のスロットマシン１のコイン返却口４に戻る。可動ガイド板５１の突起部５３は、コインを出口３２側に絶対に通過させないため、通路面２０から垂直に突出するように設けられる。第２突起部材７１の突出端７２は、コインを排出方向に付勢するため、突出端１６，１７と同様に斜めに円弧状にカットされた斜面７２ａを有する。
　【００５５】上記実施例の動作は次のとおりである。まず、図１に示すように、投入されたコインＣは入口３１から入り、傾斜路３３を通って出口３２に到達する。
　【００５６】前述のコイン受付可能状態では、図１０に示すように、可動ガイド板５１はガイド端５４と通路面２０との間にガイド溝８０を形成し、第２突起部材７１の突出端７２と可動ガイド板５１の突起部５３は通路面２０から没した状態にある。入口３１から入ったコインのうち、適正なコインより外径が小さいコインは、バネ６２により付勢されて通路面２０から突出している第１突起部材１５の突出端１６，１７により、コイン通路１４から排出される。
　【００５７】適正な外径のコインが入ってきた場合には、ガイド溝８０にコインの端が拘束されるので、第１突起部材１５の突出端１６，１７は、図９に示すようにコインＣによって通路面２０から没し、第１突起部材１５の後端部６６が第１検出器であるフォトセンサ６３の光軸を切る。従って、検出信号が図１２のスロットマシンの制御装置（図示省略）に出力されてコインが通過したことが検知される。
　【００５８】可動ガイド板５１は、コイン受付可能状態（図１０）とコイン受付不能状態（図１１）との間で可変駆動され、コイン受付可能状態では、前述のようにガイド溝８０が形成され、第２突起部材の突出端７２と可動ガイド板５１の他端５３とは、それぞれ通路面２０から没した状態にある。この状態では、適正コインはコイン通路１４の出口３２まで移動できる。
　【００５９】可動ガイド板５１がコイン受付不能状態（図１１）にあるときは、可動ガイド板５１は、通路面２０と図１０の場合よりも大きな間隔をあけてコインを案内せず、コインの排出を促している。更に、第２突起部材７１の突出端７２と可動ガイド板５１の突起部５３とは通路面２０から突出している状態にあるので、確実にコインを排出することができる。
　【００６０】コイン受付可能状態で投入された適正コインは、前述のようにコイン通路１４を通過し、出口３２からスロットマシン内部へ移動する。このとき、第２検出器として通路面２０
の出口３２の近傍
　【００６１】第１突起部材１５と第２突起部材７１の各突出端１６，１７，７２は、不適正コインを排出しやすくするため、コイン移動方向に傾斜した円弧状の斜面１６ａ，１７ａ，７２ａをつけた形状に形成され、第１突起部材１５と第２突起部材７１の付勢力とあいまってコインの排出を促すようにしている。
　【００６２】押し板１２は、通常はバネ２４により基板１１に押し付けられている。コイン詰まりのような場合には、指でコイン返却ボタン３（図１２）を押すと、旋回部材８１が横軸８２を中心に回動し、旋回部材８１の一端が押し板１２を押し上げるように動く。従って、押し板１２は軸２２を中心に回動し、基板１１の通路面２０との間隔（コイン厚み方向の間隔）が大きく開くので、詰まったコインは排出方向（図５右側）に排出される。
　【００６３】適正コインとして非磁性体のものを用いる場合、第１突起部材１５の近傍の通路面２０に磁石１９を設置することで、磁性体の不適正コインは前記磁石１９の磁力に捕捉される。これにより、第１突起部材１５によるフォトセンサ６３からの検出信号の時間が変化するため、不適正コインを検知できる。
　【００６４】
　【発明の効果】以上のように、本発明によれば、コイン通路は、コインの自重によって通過できるように形成され、従来のようにコインの通過速度を落とすことが無く、動作時間が短縮できるのでコインの飲込みが防止できる。加えて、基板と押し板と案内部材とでコイン通路を形成し、可動ガイド板や第１突起部材という機械的な手段でコインの選別を行うようにしたので、従来の磁気センサ等の電気的手段を用いたものに比べて安価に製造できる。
　【００６５】また、第２突起部材を付加的に設けた場合には、適正コインを確実にカウントできると共に第１突起部材の不具合などで排出されなかったコインも確実に排出できる。
　【００６６】更に、第１突起部材の先端部がコイン通路から出没したとき、その動きを検出する第１検出器を設けると、この検出器が出力する検出信号の変化から異常状態を検出することができる。これにより、例えばセルと呼ばれる板状の道具をコイン通路に挿入して不正に遊技する行為が防止できる。
　【００６７】更に、第２検出器として複数の検出器をコイン通路の出口近傍に順次配設した場合には、各検出器のオン・オフの順序や時間変化により異常動作を検出できるので、糸吊りコイン等を使用した不正行為も防止できる。
　【００６８】適正コインとして非磁性体を用いる場合には、コイン通路において第１検出器の近傍に磁石を配置することにより、不適正コインとなる磁性体のコインが磁石に引き付けられて停止するか、或いはそのコインの移動速度が変わるので、第１検出器からの出力信号の変化により、不適正コインを検出することができる。
【図面の簡単な説明】
　【図１】本発明の実施例の正面図。
　【図２】本発明の実施例の背面図。
　【図３】実施例における基板から押し板を分離した状態を示す斜視図。
　【図４】実施例の押し板の斜視図。
　【図５】押し板の開閉機構を表す図１のＶ−Ｖ線断面図。
　【図６】第１突起部材による検出手段の上面図。
　【図７】図２におけるＡ−Ａ線断面図で、コイン未通過時の第１突起部材の状態を示す図。
　【図８】図２におけるＡ−Ａ線断面図で、コインが第１突起部材に当接した図７と図９との中間状態の動作を示す図。
　【図９】図２におけるＡ−Ａ線断面図で、コイン通過時の第１突起部材の動作を示す図。
　【図１０】図２におけるＢ−Ｂ線断面図で、コイン受付機構のコイン受付可能状態を示す図。
　【図１１】図２におけるＢ−Ｂ線断面図で、コイン受付機構のコイン受付不能状態を示す図。
　【図１２】実施例のコイン選別装置を用いる遊技機の例としてスロットマシンを示す斜視図。
　【符号の説明】
　１…スロットマシン、２…コイン投入口、３…コイン返却ボタン、４…コイン返却口、１０…コイン選別装置、１１…基板、１２…押し板、１３…案内部材、１４…コイン通路、１４ａ…垂直路、１４ｂ…傾斜路、１５…第１突起部材、１６…突出端、１６ａ…円弧状の斜面、１７…突出端、１７ａ…円弧状の斜面、１９…磁石、２０…通路面、２４…バネ、２６…フォトセンサ、２７…フォトセンサ、２８…軸受、２９…軸受、３１…入口、３２…出口、４０…コイン受付機構、４１…ソレノイド、４３…回動部材、４４…一端、４５…一端、５１…可動ガイド板、５３…突起部、５４…ガイド端、５５…軸、５８…軸受、５９…軸受、６１…縦軸、６２…バネ、６３…透過型フォトセンサ、６４…発光部、６５…受光部、６６…後端部、６７、６８…軸受、７１…第２突起部材、７２…突出端、７２ａ…円弧状の斜面、７３…一端、７４…軸、７８…軸受、７９…軸受、８０…ガイド溝、８１…回動もしくは旋回部材、８２…横軸、８５…軸受、８６…軸受。